(57)【要約】【課題】正しいゴルフスイングを容易かつ短時間で身につけることができるゴルフクラブを提供する。【解決手段】クラブヘッド２が、シャフト３の一端に設けられている。固定グリップ４が、シャフト３の他端に設けられている。ストッパ５が、シャフト３の中央部に設けられている。スライドグリップ６が、円筒形状を成し、内部にシャフト３が挿入されている。スライドグリップ６は、固定グリップ４よりクラブヘッド２の側で、シャフト３の長さ方向に沿って固定グリップ４とストッパ５との間をスライド可能に、シャフト３に設けられている。【選択図】図１
0003130925.tif 000002
【実用新案登録請求の範囲】
【請求項１】
シャフトの一端にクラブヘッドが設けられたゴルフクラブであって、
前記シャフトの他端に設けられた固定グリップと、
前記固定グリップより前記クラブヘッド側で、前記シャフトの長さ方向に沿ってスライド可能に前記シャフトに設けられたスライドグリップとを有することを、
特徴とするゴルフクラブ。
【請求項２】
前記スライドグリップは金属製またはプラスチック製で円筒形状を成し、内部に前記シャフトが挿入されており、前記固定グリップ側の端部に外周面より外側に突出して設けられたフランジ部を有していることを、特徴とする請求項１記載のゴルフクラブ。
【考案の詳細な説明】
【技術分野】
【０００１】
本考案は、ゴルフクラブに関する。
【背景技術】
【０００２】
一般的に、正しいゴルフスイングを身につけるには、レッスン書を読んだり、ゴルフスクールに入ってインストラクターのレッスンを受けたりして理論を学び、練習場で数多くのボールを打ってそれを実践する必要があった。しかし、このような一般的な方法では、インストラクターのレッスン料などの費用が嵩み、間違った練習方法を行う危険性があり、正しいゴルフスイングを身につけるまでに時間がかかるという問題もあった。
【０００３】
そこで、このような問題を解決するために、正しいゴルフスイングを身につけるためのゴルフクラブが開発されている。そのようなゴルフクラブの一例として、シャフトの回転運動にともなって、シャフト周囲で離接して音を出す構造物を配置することにより、使用者が自分のスイングの状態を音で認識して判断することができるものがある（例えば、特許文献１参照）。
【０００４】
【特許文献１】特開２００４−２２３１８７号公報
【考案の開示】
【考案が解決しようとする課題】
【０００５】
しかしながら、特許文献１記載のゴルフクラブでは、音だけで判断するため、正しいスイングかどうかの判断が難しく、正しいスイングができるまで試行錯誤をくり返さなければならないという課題があった。また、スイングの癖を矯正しにくいという課題もあった。
【０００６】
本考案は、このような従来の課題に着目してなされたもので、正しいゴルフスイングを容易かつ短時間で身につけることができるゴルフクラブを提供することを目的とする。
【課題を解決するための手段】
【０００７】
上記目的を達成するために、本考案に係るゴルフクラブは、シャフトの一端にクラブヘッドが設けられたゴルフクラブであって、前記シャフトの他端に設けられた固定グリップと、前記固定グリップより前記クラブヘッド側で、前記シャフトの長さ方向に沿ってスライド可能に前記シャフトに設けられたスライドグリップとを有することを、特徴とする。
【０００８】
本考案者は、ゴルフスイングにおいて最も重要であるボールの方向を決めるインパクトでの左手および右手の正しい使い方を、いかに簡単に習得するかに着目して、本考案に係るゴルフクラブを考案した。本考案に係るゴルフクラブは、右利きの場合には、左手で固定グリップを、右手でスライドグリップを握り、左利きの場合には、右手で固定グリップを、左手でスライドグリップを握って使用される。
【０００９】
スライドグリップがシャフトの長さ方向に沿ってスライドするため、スイングしたときに、ダウンスイングからインパクト、フォロースルーにかけての左手および右手の位置関係と、手首の使い方とを自然に体感することができる。実際にボールを打つことにより、ボールの飛ぶ方向から、正しい手の動きと間違った手の動きとを容易に判断することができ、上達が早い。このように、本考案に係るゴルフクラブは、正しいゴルフスイングを容易かつ短時間で身につけることができる。なお、本考案に係るゴルフクラブは、スライドグリップのクラブヘッド側へのスライド範囲を制限するようシャフトに設けられたストッパを有していてもよい。
【００１０】
本考案に係るゴルフクラブで、前記スライドグリップは金属製またはプラスチック製で円筒形状を成し、内部に前記シャフトが挿入されており、前記固定グリップ側の端部に外周面より外側に突出して設けられたフランジ部を有していることが好ましい。この場合、フランジ部により、左手および右手の握る位置を把握しやすく、常に同じ位置を握るようにすることができる。このため、常に同じ状態でスイング練習をくり返すことができ、効果的である。
【００１１】
本考案に係るゴルフクラブで、前記スライドグリップは前記シャフトに着脱可能に設けられ、前記固定グリップ側にスライドしたとき前記固定グリップの前記クラブヘッド側の一部を覆うよう構成されていてもよい。この場合、市販のゴルフクラブにスライドグリップを装着して使用することができ、製造費を低減することができる。
本考案に係るゴルフクラブは、ウッドでもアイアンでもよく、種類を問わない。
【考案の効果】
【００１２】
本考案によれば、正しいゴルフスイングを容易かつ短時間で身につけることができるゴルフクラブを提供することができる。
【考案を実施するための最良の形態】
【００１３】
以下、図面に基づき本考案の実施の形態について説明する。
図１および図２は、本考案の実施の形態のゴルフクラブを示している。
図１に示すように、ゴルフクラブ１は、クラブヘッド２とシャフト３と固定グリップ４とストッパ５とスライドグリップ６とを有している。なお、ゴルフクラブ１は、市販のゴルフクラブを利用して形成されている。
【００１４】
クラブヘッド２は、シャフト３の一端に設けられている。
固定グリップ４は、シャフト３の他端に設けられている。固定グリップ４は、市販のゴルフクラブのグリップを短くして形成されている。具体的な一例では、グリップのクラブヘッド２の側を約１０ｃｍ短くしている。
ストッパ５は、シャフト３の中央部に設けられている。ストッパ５は、やや厚みのあるゴムパッキンから成り、シャフト３の外周に巻きつけられている。
【００１５】
スライドグリップ６は、ステンレス製で、円筒形状を成している。スライドグリップ６は、シャフト３の外径よりやや大きい内径を有し、内部にシャフト３が挿入されている。スライドグリップ６は、固定グリップ４よりクラブヘッド２の側で、シャフト３の長さ方向に沿って固定グリップ４とストッパ５との間をスライド可能に、シャフト３に設けられている。スライドグリップ６は、固定グリップ４の側の端部６ａが、徐々に径が大きくなるよう形成されている。スライドグリップ６は、固定グリップ４の側にスライドしたとき、固定グリップ４のクラブヘッド２の側の一部を覆うようになっている。なお、スライドグリップ６は、金属製やプラスチック製など、いかなる材質から成っていてもよい。
【００１６】
次に、作用について説明する。
ゴルフクラブ１は、右利きの場合には、左手で固定グリップ４を、右手でスライドグリップ６を握り、左利きの場合には、右手で固定グリップ４を、左手でスライドグリップ６を握って使用される。以下、右利きの場合について説明する。
【００１７】
ゴルフクラブ１を使用したゴルフスイングは、以下のようにして行う。
まず、テイクバックで、左手を支点にして、右手でスライドグリップ６をクラブヘッド２の側にストッパ５の位置までスライドさせながら、トップの位置まで持っていく。次に、ダウンスイングで、ストッパ５の位置にあるスライドグリップ６を、固定グリップ４までスライドさせる。このとき、アドレスの位置で、スライドグリップ６が固定グリップ４に当たってインパクトをむかえることができるようにする。インパクトの後、左手を支点にしたまま振り切ってフォロースルーを行う。
【００１８】
このように、ゴルフクラブ１は、スライドグリップ６がシャフト３の長さ方向に沿ってスライドするため、スイングしたときに、ダウンスイングからインパクト、フォロースルーにかけての左手および右手の位置関係と、手首の使い方とを自然に体感することができる。実際にボールを打つことにより、ボールの飛ぶ方向から、正しい手の動きと間違った手の動きとを容易に判断することができ、上達が早い。このように、ゴルフクラブ１は、正しいゴルフスイングを容易かつ短時間で身につけることができる。
【００１９】
なお、図２に示すように、ゴルフクラブ１は、スライドグリップ６が固定グリップ４の側の端部に、外周面より外側に突出して設けられたフランジ部１１を有していてもよい。この場合、フランジ部により、左手および右手の握る位置を把握しやすく、常に同じ位置を握るようにすることができる。このため、常に同じ状態でスイング練習をくり返すことができ、効果的である。
【００２０】
また、ゴルフクラブ１は、スライドグリップ６がシャフト３に着脱可能に設けられていてもよい。この場合、固定グリップ４を短くしなくても、市販のゴルフクラブ１にスライドグリップ６を装着するだけで使用することもでき、製造費を低減することができる。
【図面の簡単な説明】
【００２１】
【図１】本考案の実施の形態のゴルフクラブを示す斜視図である。
【図２】図１に示すゴルフクラブの変形例を示す斜視図である。
【符号の説明】
【００２２】
１    ゴルフクラブ
２    クラブヘッド
３    シャフト
４    固定グリップ
５    ストッパ
６    スライドグリップ
【図１】
0003130925.tif 000003
【図２】
0003130925.tif 000004